(57)【要約】【課題】本発明は光ディスクドライブに関するもので、詳しくはディスクを装着するチャック（ｃｈｕｃｋ）の構造を改善したディスクドライブホルダーに関するものである。【解決手段】本発明はディスクの中央貫通孔に挿入されディスク着脱を行うディスクドライブホルダーにおいて、ディスクの中央貫通孔と同径で上部に突出する円形のケース（３）；後方が前記ケース（３）と弾性的に連結しながらケース側面から突出し、前方にピーク（ｐｅａｋ）（１３）を有し、ピーク（１３）の下部が所定の曲率半径を有する曲面に形成されるチャック（ｃｈｕｃｋ）（１）；及び、前記チャック（１）の前方下部曲面と接触するよう前記ケース（３）と一体に形成され、前記チャック（１）が曲線運動をするようにする支持台（２）；を含むディスクドライブホルダーを提供する。【選択図】      図２
2004327001.tif 000002
【特許請求の範囲】
【請求項１】
ディスクの中央貫通孔に挿入されてディスクの着脱を行うディスクドライブホルダーにおいて、
ディスクの中央貫通孔と同径で上部に突出する円形のケースと、
後方が前記ケースと弾性的に連結されながらケース側面から突出し、前方にピーク（ｐｅａｋ）を有し、前記ピーク下部が所定曲率半径を有する曲面から形成されるチャック（ｃｈｕｃｋ）と、
前記チャックの前方下部曲面と接触するよう前記ケースに一体で形成され、前記チャックが曲線運動をするようにする支持台と、
を有することを特徴とするディスクドライブホルダー。
【請求項２】
前記チャックの前方下部曲面と接触する前記支持台の接触面は水平面から所定角度を有する傾斜面であることを特徴とする請求項１に記載のディスクドライブホルダー。
【請求項３】
前記傾斜面は水平面から５  °〜２５°の傾斜角度Ｃを有することを特徴とする請求項２に記載のディスクドライブホルダー。
【請求項４】
前記チャックの前方下部曲面と接触する前記支持台の接触面は円弧面であることを特徴とする請求項１に記載のディスクドライブホルダー。
【請求項５】
前記チャックの前方下部曲面の曲率半径は前記円弧面の曲率半径より小さいことを特徴とする請求項４に記載のディスクドライブホルダー。
【請求項６】
前記チャックの後方に装着され、前記ケースの内部と接触して前記チャックの上下曲線運動を制限するガイドをさらに有することを特徴とする請求項１に記載のディスクドライブホルダー。
【請求項７】
ディスクの中央貫通孔に挿入されてディスクの着脱を行うディスクドライブホルダーにおいて、
ディスクの中央貫通孔と同径で上部に突出する円形のケースと、
後方が前記ケースと弾性的に連結されながらケース側面から突出し、前方にピーク（ｐｅａｋ）を有し、前記ピーク下部が所定曲率半径を有する曲面から形成されるチャックと、
前記チャックの前方下部曲面と接触するよう前記ケースに一体で形成され、前記チャックが曲線運動及び直線運動を順次行うようにする支持台と、
を有することを特徴とするディスクドライブホルダー。
【請求項８】
前記チャックの前方下部曲面と接触する前記支持台の接触面は、水平面から所定の角度を有する傾斜面と、前記傾斜面に連結された水平面とで成ることを特徴とする請求項７に記載のディスクドライブホルダー。
【請求項９】
前記接触面の傾斜面は水平面から５  °〜２５°の傾斜角度Ｃを有することを特徴とする請求項８に記載のディスクドライブホルダー。
【請求項１０】
前記チャックの前方下部曲面と接触する前記支持台の接触面は、円弧面と、前記円弧面に連結された水平面とで成ることを特徴とする請求項７に記載のディスクドライブホルダー。
【請求項１１】
前記チャックの前方下部曲面の曲率半径は前記円弧面の曲率半径より小さいことを特徴とする請求項１０に記載のディスクドライブホルダー。
【請求項１２】
前記チャックの後方に装着され、前記ケースの内部と接触して前記チャックの上下曲線運動を制限するガイドをさらに有することを特徴とする請求項７に記載のディスクドライブホルダー。
【請求項１３】
ディスクの中央貫通孔に挿入されてディスクの着脱を行うディスクドライブホルダーにおいて、
ディスクの中央貫通孔と同径で上部に突出する円形のケースと、
後方が前記ケースと弾性的に連結されながらケース側面から突出し、前方に水平面上の曲率半径が前記ディスク貫通孔の内径と同一のピーク（ｐｅａｋ）を有し、前記ピーク下部が所定の曲率半径を有する曲面から成るチャックと、
前記チャックの前方下部曲面と接触するよう前記ケースに一体で形成され、前記チャックが曲線運動をするよう支持する接触面を有する支持台と、
を有することを特徴とするディスクドライブホルダー。
【請求項１４】
前記支持台の接触面は水平面から所定角度で傾くよう形成される傾斜面であることを特徴とする請求項１３に記載のディスクドライブホルダー。
【請求項１５】
前記傾斜面は水平面から５  °〜２５°の傾斜角度Ｃを有することを特徴とする請求項１４に記載のディスクドライブホルダー。
【請求項１６】
前記支持台の接触面は円弧面であることを特徴とする請求項１３に記載のディスクドライブホルダー。
【請求項１７】
前記チャックの下部曲面の曲率半径は前記円弧面の曲率半径より小さいことを特徴とする請求項１６に記載のディスクドライブホルダー。
【請求項１８】
前記チャックの後方に装着され、前記ケースの内部と接触して前記チャックの上下曲線運動を制限するガイドをさらに有することを特徴とする請求項１３に記載のディスクドライブホルダー。
【請求項１９】
ディスクの中央貫通孔に挿入されてディスクの着脱を行うディスクドライブホルダーにおいて、
ディスクの中央貫通孔と同径で上部に突出される円形のケースと、
後方が前記ケースと弾性的に連結されながらケース側面から突出し、前方に水平面上の曲率半径が前記ディスク貫通孔の内径と同一のピーク（ｐｅａｋ）を有し、前記ピーク下部が所定曲率半径を有する曲面とされるチャックと、
前記チャックの前方下部曲面と接触するよう前記ケースに一体で形成され、前記チャックが曲線運動及び直線運動を順次行うよう支持する接触面を有する支持台と、
を有することを特徴とするディスクドライブホルダー。
【請求項２０】
前記支持台の接触面は、水平面から所定角度で傾くよう形成される傾斜面と、前記傾斜面に連結された水平面とで成ることを特徴とする請求項１９に記載のディスクドライブホルダー。
【請求項２１】
前記接触面の傾斜面は水平面から５  °〜２５°の傾斜角度Ｃを有することを特徴とする請求項１９に記載のディスクドライブホルダー。
【請求項２２】
前記支持台の接触面は、円弧面と、前記円弧面に連結された水平面とで成ることを特徴とする請求項１９に記載のディスクドライブホルダー。
【請求項２３】
前記チャックの下部曲面の曲率半径は前記円弧面の曲率半径より小さいことを特徴とする請求項２２に記載のディスクドライブホルダー。
【請求項２４】
前記チャックの後方に装着され、前記ケースの内部と接触して前記チャックの上下曲線運動を制限するガイドをさらに有することを特徴とする請求項１９に記載のディスクドライブホルダー。
【発明の詳細な説明】
【０００１】
【発明の属する技術分野】
本発明は光ディスクドライブに関するもので、より詳しくはディスクを装着するチャック（ｃｈｕｃｋ）の構造を改善したディスクドライブホルダーに関するものである。
【０００２】
【従来の技術】
光ディスクドライブ、とりわけスリム（ｓｌｉｍ）タイプの光ディスクドライブ（ｏｐｔｉｃａｌ  ｄｉｓｃ  ｄｒｉｖｅｒ）機器にはＣＤ−ＲＯＭ、ＤＶＤ−ＲＯＭ、ＣＤ  Ｒ／Ｗなど多種がある。こうした光ディスクドライブは円形のディスクを装着し、これを回転させて回転中記録または再生する機能として働く。スリムタイプの光ディスクドライブはとりわけノート型コンピュータのようなスリム型コンピュータに装着されて使用されている。
【０００３】
前記のようなスリムタイプの光ディスクドライブは高さに制限がかかる。即ち、厚さの薄い本体に装着されるので、ディスクドライブ自体の高さが制限されてくる。したがって、通常のデスクトップ型コンピュータに装着されるディスクドライブとは異なり、ディスクを装着するためのホルダー構造が必要となる。
【０００４】
従来のホルダー構造は図１１に表すとおりである。図１１において、従来のディスクドライブホルダーは、ディスクの中央貫通孔と同径に形成され該孔に挿入される円形のケース（１０３）と、ケースの側面からスプリング（１０２）により弾性的に突出するチャック（１０１）とを含む。ホルダーは円形ベース（１１０）の中央に位置し、その下部ベースにはステーターアセンブリーとローターアセンブリーが設けられている。
【０００５】
ホルダーの周辺にはホルダーを囲繞するよう円形に形成されるゴムターンテーブル（１３０）が装着され、こうしたターンテーブル（１３０）にディスクが安着される。ホルダーの下部ベース（１４０）のローター及びステーターアセンブリーにより前記ターンテーブル（１３０）及びホルダーが共に回転し、ホルダーに掴まれたディスクもターンテーブルに伴い回転するようになる。ディスクの回転により記録または再生手段（１２０）が半径方向に移動しながら所望の記録または再生をするようになる。
【０００６】
従来のホルダーに用いられるチャック（１０１）は図１２のような過程からディスクを掴むようになる。図１２において、（Ａ）はディスク（１００）がチャックの上部に初めて接触する状態である。ユーザーがディスク（１００）を下方に移動させると、チャック（１０１）は徐々に退くようになる。さらにディスクを下方に移動し続けると、（Ｂ）のようにチャック（１０１）がホルダーケース（１０３）の内側に最大限押し込まれ、ディスク（１００）が完全にターンテーブルに安着されるとチャック（１０１）は再びディスク側に突出する。
【０００７】
チャック（１０１）は一定の傾斜度を有する上部面と下部面とで成り、その前方側にピーク（ｐｅａｋ）を設けた形状となっており、ディスクが回転中上方へ離脱しないようディスクを一定の力で押える機能を有する。
【０００８】
【発明が解決しようとする課題】
ところで、前記のようなチャックを用いたディスクホルダー構造は次のような問題点を抱えている。先ず、センターチャックの運動が水平方向でのみ行われる為、ディスク装着の際に必要な装着力が大きくなる。装着力が大きくなるとユーザーがディスクドライブの使用にあたって不便を感じるようになり、また無理に力を加えることでドライブ全体、または本体まで損傷させかねない。
【０００９】
さらに、前記のような装着力を減少させるべくチャック後方に装着されるスプリングの張力を調節すると、離脱阻止力も減少する。離脱阻止力が減少するとディスクの高速回転中些細な衝撃によってもディスクが離脱するようになりドライブの機能をまともに行えなくなる。したがって、装着力を減少しながら離脱阻止力は充分維持できる新たなホルダーが当技術分野において要求されてきた。
【００１０】
さらに、図１１に示すように、チャック（１０１）のピーク部は水平面上において半円形状となるが、こうした構造ではディスクの中心貫通孔の内側面と点接触をするようになる。かかる点接触はディスクの離脱阻止力を増大させられなくなる。また、二重積層構造を有するＤＶＤのような場合は二重構造の中間溝にチャックが引っかかり装着時に問題が起こりかねない。したがって、ディスクの離脱阻止力を増大させ、ディスクの引っかかりを防止できる構造が当技術分野において要求される実情である。
【００１１】
本発明は前記のような問題点を解決すべく案出されたもので、ディスクドライブホルダーのチャック及びチャック支持部の構造を改善して、チャックが下方に円形の軌跡を描く曲線運動を行うようにさせることで、ディスク装着時の装着力を低減し且つ離脱阻止力を増大させたホルダーを提供することに目的がある。
【００１２】
さらに、本発明はホルダーにおけるチャックのピーク部の形状を改善して、ディスク装着時の離脱阻止力を増大させ、またディスクの引っかかりが起こらないよう防止することに目的がある。
【００１３】
【課題を解決するための手段】
前記のような目的を成し遂げるための構成手段として、本発明はディスクの中央貫通孔に挿入されディスクの着脱を行うディスクドライブホルダーにおいて、ディスクの中央貫通孔と同径で上部に突出する円形のケース；後方が前記ケースと弾性的に連結されながらケース側面から突出し、前方にピーク（ｐｅａｋ）を有し、ピークの下部が所定の曲率半径を有する曲面とされるチャック（ｃｈｕｃｋ）；及び、前記チャックの前方下部曲面と接触するよう前記ケースに一体で形成され、前記チャックが曲線運動をするようにする支持台を含むディスクドライブホルダーを提供する。好ましくは、前記チャックの前方下部曲面と接触する前記支持台の接触面は水平面から所定の角度を有する傾斜面になり、より好ましくは前記傾斜面は水平面から５  °〜２５°の傾斜角度Ｃを有する。好ましくは、前記チャックの前方下部曲面と接触する前記支持台の接触面は円弧面となり、より好ましくは、前記チャックの下部曲面の曲率半径は前記円弧面の曲率半径より小さい。さらに、前記ホルダーは前記チャックの後方に装着され、前記ケースの内部と接触し前記チャックの上下曲線運動を制限するガイドをさらに含むことができる。
【００１４】
さらに、本発明は、ディスクの中央貫通孔に挿入されディスクの着脱を行うディスクドライブホルダーにおいて、ディスクの中央貫通孔と同径で上部に突出する円形のケース；後方が前記ケースと弾性的に連結されながらケース側面から突出し、前方にピーク（ｐｅａｋ）を有し、ピーク下部が所定の曲率半径を有する曲面とされるチャック；及び、前記チャックの前方下部曲面と接触するよう前記ケースに一体で形成され、前記チャックが曲線運動及び直線運動を順次に行うようにさせる支持台を含むディスクドライブホルダーを提供する。好ましくは、前記チャックの前方下部曲面と接触する前記支持台の接触面は、水平面から所定角度を有する傾斜面と前記傾斜面に連結された水平面とで成り、この際、前記接触面の傾斜面は水平面から５  °〜２５°の傾斜角度Ｃを有する。また、好ましくは、前記チャックの前方下部曲面と接触する前記支持台の接触面は円弧面と前記円弧面に連結された水平面とで成ることができ、より好ましくは、前記チャックの下部曲面の曲率半径は前記円弧面の曲率半径より小さい。好ましくは、前記ホルダーは前記チャックの後方に装着され、前記ケースの内部と接触しながら前記チャックの上下曲線運動を制限するガイドをさらに含む。
【００１５】
さらに、本発明は、ディスクの中央貫通孔に挿入されディスクの着脱を行うディスクドライブホルダーにおいて、ディスクの中央貫通孔と同径で上部に突出する円形のケース；後方が前記ケースと弾性的に連結されながらケース側面から突出し、前方に水平面上の曲率半径が前記ディスク貫通孔の内径と同じなピーク（ｐｅａｋ）を有し、ピーク下部が所定の曲率半径を有する曲面とされるチャック；及び、前記チャックの前方下部曲面と接触するよう前記ケースに一体で形成され、前記チャックが曲線運動をするよう支持する接触面を有する支持台を含むディスクドライブホルダーを提供する。好ましくは、前記支持台の接触面は水平面から所定角度で傾くよう形成される傾斜面となり、この際、前記傾斜面は水平面から５  °〜２５°の傾斜角度Ｃを有する。また、好ましくは、前記支持台の接触面は円弧面になることもできる。より好ましくは、前記チャックの下部曲面の曲率半径は前記円弧面の曲率半径より小さい。さらに、好ましくは、前記ホルダーは前記チャックの後方に装着され、前記ケースの内部と接触しながら前記チャックの上下曲線運動を制限するガイドをさらに含む。
【００１６】
さらに、本発明はディスクの中央貫通孔に挿入されディスクの着脱を行うディスクドライブホルダーにおいて、ディスクの中央貫通孔と同径で上部に突出する円形のケース；後方が前記ケースと弾性的に連結されながらケース側面から突出し、前方に水平面上の曲率半径が前記ディスク貫通孔の内径と同じなピーク（ｐｅａｋ）を有し、ピーク下部が所定曲率半径を有する曲面とされるチャック；及び、前記チャックの前方下部曲面と接触するよう前記ケースに一体で形成され、前記チャックが曲線運動及び直線運動を順次に行うよう支持する接触面を有する支持台を含むディスクドライブホルダーを提供する。好ましくは、前記支持台の接触面は水平面から所定角度で傾くよう形成される傾斜面と前記傾斜面に連結された水平面とで成り、この際、前記傾斜面は水平面から５  °〜２５°の傾斜角度Ｃを有する。また、好ましくは、前記支持台の接触面は円弧面と前記円弧面に連結された水平面とで成る。より好ましくは、前記チャックの下部曲面の曲率半径は前記円弧面の曲率半径より小さい。また好ましくは、前記ホルダーは前記チャックの後方に装着され、前記ケースの内部と接触して前記チャックの上下曲線運動を制限するガイドをさらに含む。
【００１７】
【発明の実施の形態】
以下、本発明について添付の図面に基づきより詳しく説明する。図１は本発明によるディスクドライブホルダーの平面図で、図２は図１におけるホルダーチャックの断面図である。本発明によるディスクホルダーはケース（３）と、ケースに装着されるチャック（１）、及びチャックを支持する支持台（２）を含む。
【００１８】
［ホルダーの構造］
前記ケース（３）は図１に表すように、全体として円形状となる。ケースが円形状となるようにさせ、ディスク中央に形成される所定直径の貫通孔と一致するようにする。ケース（３）は樹脂材から成り、ステーターアセンブリーとローターアセンブリーを含む駆動手段の上部中央に突出した状態で位置することになる。
【００１９】
チャック（１）は図２のように、ケース（３）と弾性的に運動できるようケースに装着される。チャック（１）はその後面がケース（３）内部に弾性的に連結される。即ち、チャック（１）の後面とケースの内部面とはスプリングのような弾性手段により連結され、チャック（１）が弾性的な運動を行えるようにする。
【００２０】
チャック（１）はケース側面から突出しており、その突出方向の前方面にピーク（ＰＥＡＫ）が形成される。ピーク（１３）上下には所定の勾配を有する上部面と下部面が形成され、ディスクは前記のようなピーク構造により位置固定される。
【００２１】
前記チャック（１）の下部には図２におけるような支持台（２）が位置する。支持台（２）は前記チャック（１）が水平運動でなく下方または上方への曲線運動をするようにする。前記支持台（２）はケース（３）と一体で形成され、チャック（１）と接触する接触面（１４）は水平面から所定の角度で傾くよう形成される。
【００２２】
前記チャック（１）はその下部面（１２）が所定の曲率半径を有するよう形成される。下部面、即ちピーク（１３）の下側に所定の曲率半径を有するよう形成される。こうした曲率半径部位が支持台（２）の接触面（１４）とスライド運動を行い、チャック（１）の移動軌跡が曲線を描くようになる。
【００２３】
［動作］
図３（Ａ）ないし図３（Ｃ）は本発明によるディスクドライブホルダーにディスクを装着する際のチャックの運動状態を表す図面である。図３（Ａ）は、本発明によるホルダーにディスク（１００）装着を始める際の様子を表す。図３（Ａ）において、ディスク（１００）は先ずチャック（１）の上部面に接触する。この際、チャックの上部面（１１）は所定の傾斜角度を有し、この傾斜角度によりディスクは下方に滑り落ちるようになる。
【００２４】
チャック（１）のピークはディスクが押える力によりその下部面に形成された曲面と同じ軌跡を描きながら下方へ移動する。これは同図（Ｂ）に表してある。ディスクが下方に移動し続けながらその側面がチャックのピークを通過すると、チャック（１）のピークはスプリングの弾性力によりディスク上部に押し上げられる（図３（Ｃ））。
【００２５】
［チャックの構造］
前記のような動作を行うチャック（１）及び支持台（２）の構造を詳しく考察する。図４は本発明によるディスクドライブホルダーチャックの断面図で、図５は本発明によるディスクドライブホルダー支持台の断面図である。
【００２６】
前記図３のような動作を行うためにはチャック（１）の下部面が曲率半径を有するよう曲面で形成されなければならず、下部において前記チャック（１）と接触する支持台（２）の接触面も同様に所定角度で傾斜になっていなければならない。チャック（１）下部面の曲面（１２）と支持台の接触面（１４）の傾斜面は、チャックが下部曲面（１３）に沿って曲線運動をするようにする。こうした曲線運動はディスクに与えられる装着力を低減させ、また装着後の離脱を防ぐ力を増加させるようになる。
【００２７】
図２の支持台の接触面（１４）は円弧形に形成される。即ち、本発明によるチャックの曲線運動のためには、前記支持台（２）の傾斜面［接触面（１４）が傾斜面としての機能を有する場合］は円弧形になるのも可能である。この際、前記円弧は弧の一端から他端を連結した仮想の直線が水平面から下方に傾斜角度を有するよう形成されなければならない。
【００２８】
また、前記接触面（１４）を形成する円弧の曲率半径は前記チャック（１）の下部曲面（１２）の曲率半径と同じか、あるいは大きい方が好ましい。円弧の曲率半径がチャック下部面の曲率半径より小さくなると、チャックと支持台の接触は２点支持構造となり、これはディスクを介して下部に加わる装着力を耐えるに大変不安定な構造である。従って、円弧面とチャック下部面が面接触または少なくとも線接触を成すよう曲率半径を決めなければならない。
【００２９】
図４において、チャックのピーク（１３）の上部面（１１）の傾斜角度、即ち水平面から上部面までの傾斜角度をＡとする。また、チャックのピーク（１３）の下部面が垂直面と成す角度をＢとする。図５の支持台（２）において、支持台とチャック（１）とが相互に接触する接触面（１４）が水平面と成す角度をＣとする。前記角度はホルダーチャックに加わる装着力、またはディスクがチャックから外れるまで耐えられる離脱阻止力（または脱着力）に係る重要な因子となる。前記三つの角度を変更させながら行った実験から、従来の構造における装着力及び離脱阻止力を比較した。
【００３０】
【表１】
2004327001.tif 000003
前記のような実験において、従来のホルダー構造から得られるディスクの装着力と離脱阻止力は、前記各項目においてＣ値が０度の場合である。即ち、装着力は１４００〜１２５０ｇｆ、離脱阻止力は３３０〜４５０ｇｆの範囲に収まるようになる。本発明によるホルダー構造を用いると、前記従来の装着力より小さい装着力でもディスクが装着でき、また前記離脱阻止力より大きい離脱阻止力を加えるようになる。
【００３１】
先ず、Ｂの角度が３０度においては、従来の場合は装着力１４００ｇｆ、離脱阻止力３３０ｇｆとなる。しかし、本発明のようにチャックの支持台の接触面が傾斜面にされる場合、即ちＣが１０度から２５度との間、Ｂが３０度、Ａ値が１０度から１５度の間に収まる場合にはそれぞれの装着力が従来より小さいことがわかる。また、こうした場合、離脱阻止力も従来より大きい数値を示す。
【００３２】
同じく、Ｂの角度が３５度においては、従来の装着力は１３００ｇｆ、離脱阻止力は４００ｇｆになる。この場合もやはり従来より小さな装着力を有し、離脱阻止力も充分維持できるようになる。これはＢの角度が４０度の場合でも同様である。
【００３３】
前記表１におけるように、支持台の接着面が傾斜面にされると、従来に比して装着力が小さくなり、またディスクの離脱を抑える離脱阻止力は充分に維持することができる。前記結果から、角度Ｃに応じて角度Ａ及び角度Ｂを適切に調節すれば、従来の離脱阻止力に比して大きな離脱阻止力を有するよう形状を決定可能なことがわかる。前記結果において、Ｃ角度が２０°、Ａ角度が約１２°、Ｂ角度が約３５°の場合、装着力は９５０ｇｆ、離脱阻止力は４５０ｇｆと最適の結果を得ることができる。
【００３４】
図６は本発明によるディスクドライブホルダーチャックに関する実施の形態を表す断面図である。上述したように、本発明によるディスクドライブホルダーチャック（１）を支持する支持台（２）の構造は水平面から傾くよう形成された傾斜面を有するようになっている。図６におけるように、支持台（２）は、傾斜面（１６）と前記傾斜面に連結された水平面（１８）とを有する接触面から成ることができる。
【００３５】
前記のような支持台の接触面構造によって、チャック（１）はディスクの下方運動により先ず曲線運動を始め、曲線運動によりチャック（１）のピーク（１３）が下方に移動する。ピークが下方に向かった状態で、前記支持台の水平面（１８）により水平後方移動するようになる。
【００３６】
かかる構造は先に述べた下方または上方への曲線運動に水平運動を追加した構造であり、こうした構造を取ると、チャック（１）の移動距離がより長くなり得る利点がある。また、チャックがケースにおいてより前方側へ突出するよう設計するのも可能となり、ディスクの離脱阻止力を増大することもできるようになる。
【００３７】
図７は本発明によるディスクドライブホルダーのチャックに関する他の変形実施の形態を表す断面図である。図７においては、支持台（２）が所定の曲率半径を有する円弧面（１７）とその円弧面の後方側に連結された水平面（１９）とで成る。図７の支持台においても同じく、円弧面に沿ってチャックが曲線運動をするようになり、次いでチャックが水平後方移動するようになる。
【００３８】
かかる構造においても、前記図６のようにチャックの移動距離の増大及び離脱阻止力の増大効果をもたらし、前記図６における傾斜面を円弧面に形成して摩擦面が大きくなるよう構成することができる。摩擦面積の拡大によりチャックまたは支持台の摩耗が防止可能になる。
【００３９】
前記支持台の接触面の有する円弧面（１７）は円弧形に形成され、前記円弧は弧の一端から他端を連結した仮想の直線が水平面から下方に傾斜角度を有するよう形成されなければならない。また、前記接触面（１４）を成す円弧の曲率半径は前記チャック（１）の下部曲面（１２）の曲率半径と同じか又は大きい方が好ましい。円弧の曲率半径がチャック下部面の曲率半径より小さくなると、チャックと支持台の接触は２点支持構造となり、これはディスクを介して下部に加わる装着力を耐えるには大変不安定な構造となる。従って、円弧面とチャック下部面とが面接触または少なくとも線接触を成すよう曲率半径を決めなければならない。
【００４０】
［ガイド］
図８は本発明によるディスクドライブホルダーにおけるチャックの弾性結合を表す断面図である。図２及び図８において、前記チャック（１）の後方側にはガイド（５）が設けられる。ガイド（５）はケース（３）の内部と接触してチャックの上下曲線運動を制限する。即ち、図２においてチャックが下方に運動すると、ガイドの上部面がケースの内側上部面と接触し、これによりチャックの下方運動が制限される。
【００４１】
こうしたガイドをチャック後方に設けるのは、チャックの曲線運動が過度になり元に戻れなくなるのを防止するためである。また、ディスク離脱の際にチャックが上側に移動し過ぎてケースから外れてしまうのを防止するためでもある。
【００４２】
さらに、図８のように、チャック（１）後方とケース内側との間にはスプリング（４）が連結される。スプリングをチャック後方に連結するようチャック（１）後方側とケース内側にはスプリングガイド（４１）が突出形成される。
【００４３】
［ピークの平面形状］
図９は本発明によるディスクドライブホルダーにおけるチャックのピーク平面図である。チャック（１）の垂直断面形状は、上述したように所定の傾斜角度を有するよう上部面と下部面が形成され、前方側に前記上部面と下部面によるピークが形成され、下側は曲率半径を有する曲面となる。
【００４４】
チャックの平面的な形状は図９のように形成されることができる。即ち、図９においては、チャック（１）のピーク（１３）における水平面上の形状をディスクの中心貫通孔の内径と同じ曲率半径となるようにした。ディスク内径と同じ曲率半径を有するようピーク（１３）を形成してディスクとの接触面積を広げるのである。ディスクとチャックとの接触面積を拡大させることにより、ディスクが装着された後、容易に離脱しないようにするのである。このようにチャックの平面的な形状をディスクの内径と同じ曲率半径を有するよう形成することにより離脱阻止力をより増大させる構造を提供できるようになる。
【００４５】
［引っかかり防止］
前記のようなチャックピークの曲率半径構造は他にもディスクの引っかかりを防止する機能の働きもする。即ち、ＤＶＤディスクのように２枚重なったディスクを装着する際、図１０におけるようにディスク（２００）の内径側面に隙間（２０）が存在しており、この隙間にチャック（１）のピーク（１３）が挟まってしまう問題が起こりかねない。
【００４６】
従来は、ピークがディスク内径より小さい曲率半径から略半円形にラウンド形成されていた為、チャックがディスクとほぼ点接触するようになる。したがって、チャックをケースの外側に押出す力がディスクに集中して作用するようになり、チャックのピークがディスクの隙間（２０）に挟まる現象が生じた。
【００４７】
したがって、本発明においてはディスクの内径と同じピーク面を形成してピークに作用する弾性力を分散させ、またピークの垂直断面形状を前記ディスク（２００）の隙間（２０）より大きい半径の曲線にラウンド処理した。このような構成によりディスクの引っかかりを防止することができる。以上、ホルダーにディスクを装着する過程を中心に説明したが、ホルダーにおいてディスクを離脱する際の過程は前記装着過程と逆になる。ここで、本発明は特定の実施の形態に係り図示・説明したが、前述の特許請求の範囲により具備される本発明の精神や分野を外れない限度内において、本発明が多様に改造及び変化できることは当業界において通常の知識を有する者であれば容易に想到することを明かしておく。
【００４８】
【発明の効果】
以上のように、本発明によると、支持台に傾斜面または傾斜面と水平面とを形成してチャックが下方に円形軌跡を描く曲線運動及び曲線運動と直線運動を順次に行うようにすることで、ディスク装着の際に装着力を低減させ且つ離脱阻止力を増大させる効果を奏する。さらに、本発明はホルダーにおけるチャックのピーク部形状を改善して、ディスク装着の際離脱阻止力を増大させ、またディスクの引っかかり発生の防止を図る。
【図面の簡単な説明】
【図１】本発明によるディスクドライブホルダーの平面図である。
【図２】図１におけるホルダーチャックの断面図である。
【図３】（Ａ）ないし（Ｃ）は本発明によるディスクドライブホルダーにディスクを装着する際のチャックの運動状態を表す図面である。
【図４】本発明によるディスクドライブホルダーにおけるチャックの断面図である。
【図５】本発明によるディスクドライブホルダーにおける支持台の断面図である。
【図６】本発明によるディスクドライブホルダーにおけるチャックに関する変形実施の形態を表す断面図である。
【図７】本発明によるディスクドライブホルダーにおけるチャックに関する他変形実施の形態を表す断面図である。
【図８】本発明によるディスクドライブのホルダーにおけるチャックの弾性結合を表す断面図である。
【図９】本発明によるディスクドライブホルダーにおけるチャックのピーク部の平面図である。
【図１０】本発明によるディスクドライブホルダーのチャックがディスクの間に引っかかった状態を表す図面である。
【図１１】従来のディスクドライブホルダーの構造を表す平面図である。
【図１２】（Ａ）ないし（Ｃ）は従来のディスクドライブホルダーにディスクを装着する際の状態図である。
【符号の説明】
１  チャック
２  支持台
３  ケース
４  スプリング
５  ガイド
１１  上部面
１２  下部面
１３  ピーク
１４  傾斜面
【図１】
2004327001.tif 000004
【図２】
2004327001.tif 000005
【図３】
2004327001.tif 000006
【図４】
2004327001.tif 000007
【図５】
2004327001.tif 000008
【図６】
2004327001.tif 000009
【図７】
2004327001.tif 000010
【図８】
2004327001.tif 000011
【図９】
2004327001.tif 000012
【図１０】
2004327001.tif 000013
【図１１】
2004327001.tif 000014
【図１２】
2004327001.tif 000015